【事件の表示】
　特許第２６８３７２１号「グリッパ形織機」の請求項１ないし５、７、９ないし１０に係る特許に対する特許異議の申立てについて、次のとおり決定する。
【結論】
　訂正を認める。
　特許第２６８３７２１号の請求項１ないし４、６、８ないし９に係る特許を維持する。
【理由】
１．手続きの経緯
　本件特許第２６８３７２１号は、昭和６３年９月３０日（パリ条約による優先権主張１９８７年１０月２日、スイス国）に特許出願され、平成９年８月１５日にその特許の設定登録がなされ、その後、津田駒工業株式会社より特許異議の申立てがなされ、取消理由通知がなされ、その指定期間内である平成１１年２月２５日に訂正請求がなされたものである。
２．訂正の適否についての判断
（１）訂正事項
ａ．特許請求の範囲の
１）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（２８，４４，６２）を備え、前記調整装置（２８，４４，６２）は、前記ひ道（６）又は織物エッジ（４３）から前記クランプ（１６）までの間隔（Ｘ１，Ｘ２）を調整することを特徴とするグリッパ形織機。
２）前記調整装置（２８）が、回動可能な帯状制御部材（３２）を備え、前記帯状制御部材（３２）は前記クランプ（１６）のストップカム（２６）と共働することを特徴とする特許請求の範囲第１）項に記載のグリッパ形織機。
３）前記調整装置（４４）が、ストップカーブ（４８）を有する帯状制御部材（４６）を備え、前記帯状制御部材（４６）は前記グリッパ（２）の走行方向にシフト可能であり、前記クランプ（１６）の前記ストップカム（２６）と共働することを特徴とする特許請求の範囲第１）項に記載のグリッパ形織機。
４）前記調整装置（２８）が偏心歯車又はカーブディスク歯車（３４）を備えていることを特徴とする特許請求の範囲第１）項ないし第３）項のうちのいずれか１項に記載のグリッパ形織機。
５）前記調整装置（２８）が電磁石又は電動機（４０）を備えていることを特徴とする特許請求の範囲第１）項ないし第４）項のうちのいずれか１項に記載のグリッパ形織機。
６）前記調整装置（４４）が流体圧モータ、有利には空気圧モータを備えている特許請求の範囲第１）項ないし第４）項のうちのいずれか１項に記載のグリッパ形織機。
７）前記調整装置が手動で作動可能であることを特徴とする特許請求の範囲第１）項ないし第４）項のうちのいずれか１項に記載のグリッパ
形織機。
８）前記調整装置（６２）が、制御装置（７０）を備えている牽引機構（６６）により有利にはひ道形成装置と連結され、前記制御装置（７０）のプログラム指示により制御可能であることを特徴とする特許請求の範囲第１）項ないし第８）項のうちのいずれか１項に記載のグリッパ形織機。
９）前記グリッパ形織機が、マイクロプロセッサを備えている制御装置（４２，７０）を備え、前記調整装置（２８，４４，６２）は制御装置（４２，７０）と接続されていることを特徴とする特許請求の範囲第１）項ないし第７）項のうちのいずれか１項に記載のグリッパ形織機。
１０）前記グリッパ形織機が２つの横糸搬入装置を備え、２つの前記横糸搬入装置のうちの一方は持込みグリッパを備え、他方は受取りグリッパを備え、前記調整装置（２８，４４，６２）は受取りグリッパに設けられていることを特徴とする特許請求の範囲第１）項ないし第９）項のうちのいずれか１項に記載のグリッパ形織機。の記載を、訂正明細書の特許請求の範囲の記載の通り、すなわち、
１）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（２８）を備え、前記調整装置（２８）は、前記ひ道（６）又は織物エッジ（４３）から前記クランプ（１６）までの間隔（Ｘ１，Ｘ２）を調整すべく、前記グリッパ（２）の走行方向に沿って延びる回動可能な帯状制御部材（３２）を備え、前記帯状制御部材（３２）は前記クランプ（１６）のストップカム（２６）と共働することを特徴とするグリッパ形織機。
２）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（４４）を備え、前記調整装置（４４）は、前記ひ道（６）又は織物エッジ（４３）から前記クランプ（１６）までの間隔（Ｘ１，Ｘ２）を調整すべく、前記グリッパ（２）の走行方向に沿って延び、かつストップカーブ（４８）を有する帯状制御部材（４６）を備え、前記帯状制御部材（４６）は前記グリッパ（２）の走行方向にシフト可能であり、前記クランプ（１６）の前記ストップカム（２６）と共働することを特徴とするグリッパ形織機。
３）前記調整装置（２８）が偏心歯車又はカーブディスク歯車（３４）を備えていることを特徴とする特許請求の範囲第１）項に記載のグリッパ形織機。
４）前記調整装置（２８）が電磁石又は電動機（４０）を備えていることを特徴とする特許請求の範囲第１）項または第３）項に記載のグリッパ形織機。
５）前記調整装置（４４）が流体圧モータ、有利には空気圧モータを備えている特許請求の範囲第２）項に記載のグリッパ形織機。
６）前記調整装置が手動で作動可能であることを特徴とする特許請求の範囲第１）項ないし第４）項のうちのいずれか１項に記載のグリッパ形織機。
７）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（６２）を備え、前記調整装置（６２）は、前記ひ道（６）又は織物エッジ（４３）から前記クランプ（１６）までの間隔（Ｘ１，Ｘ２）を調整すべく、制御装置（７０）を備えている牽引機構（６６）により有利にはひ道形成装置と連結され、前記制御装置（７０）のプログラム指示により制御可能であることを特徴とするグリッパ形織機。
８）前記グリッパ形織機が、マイクロプロセッサを備えている制御装置（４２，７０）を備え、前記調整装置（２８，４４，６２）は制御装置（４２，７０）と接続されていることを特徴とする特許請求の範囲第１）項ないし第７）項のうちのいずれか１項に記載のグリッパ形織機。
９）前記グリッパ形織機が２つの横糸搬入装置を備え、２つの前記横糸搬入装置のうちの一方は持込みグリッパを備え、他方は受取りグリッパを備え、前記調整装置（２８，４４，６２）は受取リグリッパに設けられていることを特徴とする特許請求の範囲第１）項ないし第８）項のうちのいずれか１項に記載のグリッパ形織機。と訂正する。
ｂ．明細書の発明の詳細な説明の記載を、訂正明細書に記載のとおり訂正する。
（２）訂正の目的の適否、新規事項の有無及び特許請求の範囲の拡張・変更の有無
上記訂正ａは、特許請求の範囲の減縮、およびそれに伴う請求項の番号および他の請求項の引用の形式を整合して明瞭でない記載の釈明をすることを目的とするものであり、訂正ｂは、上記訂正ａに伴う明細書の明りょうでない記載の釈明を目的とするものと認める。
　そして、上記ａ、ｂの訂正後の記載事項は、訂正前の明細書に記載されており、いずれの訂正も、願書に添付した明細書又は図面に記載された事項の範囲内のものであり、しかも、実質上特許請求の範囲を拡張又は変更するものでもない。
（３）独立特許要件の判断
ａ．訂正後の発明
　訂正後の特許請求の範囲の請求項１ないし９に係る発明は、上記訂正明細書の特許請求の範囲の１）ないし９）に記載されたとおりのものである。
ｂ．取消理由の概要
　当審が通知した取消理由の概要は、「本件請求項１ないし５，７，９，１０に係る発明は、本件特許の出願前に頒布された刊行物１ないし３の記載に基づいて当業者が容易に発明をすることができたものであるから、本件請求項１ないし５，７，９，１０に係る特許は、特許法第２９条第２項の規定に違反したなされたものである。」というものである。
ｃ．引用刊行物
　当審が、通知した取消理由で引用した刊行物１（特開昭６２−１６２０４８号公報、特許異議申立人の提出した甲第１号証）には、レイピアを構成要素として包含する織機における模様付緯糸の緯入れ自動位置規制装置に係る発明が記載されており、実施例には、「（１８）は上記レイピア（１）の復動走行路上の定位置に配置して、レイピア糸把持体（１９）のレバー部（１９ａ）先端を衝突させて、該糸把持体（１９）を開放させる当りであり、該当り（１８）織機上の織物緯方向に変位し得るようにし、該当り（１８）に駆動機（２０）を駆動結合する。該駆動機（２０）には例えば小型の可逆転モーターを適用すればよく、当り（１８）と駆動機（２０）の駆動結合は、例えば当り（１８）の基部にナット（２１）を固設し、駆動機（２０）の出力軸に結合された調整ねじ（２２）を該ナット（２１）に螺合することにより、行えばよい。該駆動機（２０）には…マークセンサー……がシーケンス制御装置（２３）を介して接続される。このシーケンス制御装置（２３）は、………とからなるマイクロコンピュータを適用できる。」（第６頁右下欄第１８行〜第７頁左上欄第１５行）、「レイピア（１）による緯入れに緯ずれがあったならば、………その緯ずれ方向および度合いに対応して、レイピア（１）による次の緯入れに先立ち、当り（１８）を所定量、ライン（ｌ）の緯糸（３ａ）長さ方向、即ち織物緯方向の所定側へ変位させるよう、駆動機（２０）が正或いは逆駆動して停止される。」（第９頁左下欄第１７行〜右下欄第１７行）等が、図面とともに示されている。
　同じく引用した刊行物２（特開昭５７−２１００４１号公報、特許異議申立人の提出した甲第２号証）には、「インサートレピア及びキャリアレピアが緯入れのために経糸開口内を左右動ずると同時にスレーとともに筬打ち方向にも前後動し、上記キャリアレピアのヤーンキャッチャ押圧部（３１）を押圧することによって緯糸把持部（３０）が開かれて緯糸の把持開放が行われる形式であって、スレーの所定位置には、先端に上記押圧部（３１）を押圧するためのオープンローラ（４）が設けられた第１のアーム部と、該第１のアーム部延在方向に対して所定の角度方向に延在する第２のアーム部（５１）とからなるレバー（５）が回動可能に制動支承されており、……筬
打ち直前所定のタイミングにまでスレーが前進したときに……オープンローラ（４）をレピアヤーンキャッチャ押圧部（３１）に押圧する様に設定されて」いるようなレピア織機の緯糸把持解除装置（特許請求の範囲２）が記載されている。
　同じく引用した刊行物３（特開昭５０ー１３６６５号公報、特許異議申立人の提出した甲第３号証）には、［緯糸引出し側レピアの走行通過時これのキャッチャーに当接する位置にオープンローラを取付けたロータリーソレノイドを筬部に取付けのブラケット上に設け、該ソレノイドの回転時にはオープンローラがキャッチャーに当たらないようにこれを変位させ」るようにしたレピア織機における緯入れ糸の開放装置に係る発明（特許請求の範囲）に係り、「この緯入れは織機の左右に設けたレピアの一方がパッケージから引出した緯糸先端をつかみ、両レピアが機台の両側から同時に杼口に入り、緯糸を杼口中央で受渡しして後退し、その糸端しを他側に引出すことにより緯糸を全幅に緯入れするものである。」（第１頁右下欄第３〜９行）ことが記載されている。
ｄ．対比・判断
　訂正前の特許請求の範囲の請求項１ないし５，７，９，１０に係る発明には、訂正明細書の特許請求の範囲の請求項１ないし４，６，８，９に係る発明が相当するものと認められるので、以下、訂正明細書の上記の請求項に係る発明（以下、それぞれ「本件発明１」、「本件発明２」……「本件発明９」という。）と刊行物１ないし３に記載された発明とを対比検討する。
　刊行物１に記載された「レイピア」、「レイピア糸把持体」、「当り」、刊行物２に記載された［キャリアレイピア」、「ヤーンキャッチャ」、「オープンローラ」、刊行物３に記載された「緯糸引出し側レイピア」、「キャッチャー」、「オープンローラ」は、それぞれ本件各発明の「グリッパ」、「横糸用クランプ」、「開放部材」に相当し、刊行物１には、「駆動機」、「調整ねじ」、「ナット」により「当り」を織物緯方向に変位し得るようにする、即ち緯糸解放時の織物エッジとキャリア糸把持体との間隔を調整する機構が記載されており、刊行物２，３に記載されたオープンローラも、レバーの回動あるいはロータリーソレノイドの回転により、ヤーンキャッチャあるいはキャッチャーに当接する位置を緯糸走行方向に変位するように調整されるものである。
　したがって、刊行物１ないし３には、本件各発明でいうグリッパを備えた横糸搬送装置を有するグリッパ形織機において、横糸クランプの開放部材が織物エッジからクランプまでの間隔を調整する調整装置を備えることが記載されているということができる。
　しかし、本件発明１において、「調整装置」は、「グリッパの走行方向に沿って延びる回動可能な帯状制御部材を備え」、「帯状制御部材はクランプのストップカムと共働する」ものであり、本件発明２において、「調整装置」は、「グリッパの走行方向に沿って延び、かつストップカーブを有する帯状制御部材を備え」、「帯状制御部材はグリッパの走行方向にシフト可能であり」、「クランプのストップカムと共働する」ものであるのに対し、刊行物１ないし３に記載された緯糸開放部材の調整装置は、いずれもクランプに作用する開放部材である「当り」や「オープンローラ」を変位するものであり、本件発明１，２を構成する「クランプと共働する帯状制御部材」を備える点については、刊行物１ないし３のいずれにも記載も示唆もされていない。また、本件発明１，２は上記の構成により、明細書に記載されたとおりの作用効果を奏するものであって、上記刊行物１ないし３の記載に基づいて当業者が容易に発明をすることができたものということはできない。
　そして、本件発明３，４，６，８，９については、上記本件発明１あるいは２に記載された発明をさらに技術的に限定したものであるので、同様に当業者が、刊行物１ないし３の記載に基づいて容易に発明をすることができたものとはいえない。
　したがって、本件発明１ないし４，６，８，９は、特許出願の際独立して特許を受けることができない発明とすることはできない。
（４）むすび
　以上のとおりであるから、上記訂正は、特許法第１２０条の４第２項及び同条第３項で準用する第１２６条第２項ないし第４項の規定に適合するので、当該訂正を認める。
３．特許異議の申立てについての判断
（１）本件発明
　本件発明は、前述の「２．訂正の適否についての判断（３）ａ．訂正後の発明」において述べたとおり訂正明細書の特許請求の範囲１）ないし９）に記載されたとおりのものである。
（２）申立ての理由の概要
　申立人津田駒工業株式会社は、甲第１ないし３号証を提出し、本件請求項１ないし５，７，９，１０に係る発明は、甲第１、２、３号証の記載に基づいて当業者が容易に発明をすることができたものであり、特許法第２９条第２項の規定に該当し特許を受けることができないものであるから、本件請求項１ないし５，７，９，１０に係る特許を取り消すべきであると主張している。
（３）証拠
　甲第１ないし３号証は、それぞれ当審で通知した取消理由で引用した刊行物１ないし３に相当し、その記載事項等は、前述の「２．訂正の適否についての判断（３）ｃ．引用刊行物」において示したとおりである。
（４）判断
　異議申立人がその特許を取り消すべきものと主張する（訂正前の）請求項１ないし５，７，９，１０に係る発明は、本件（訂正後の）請求項１ないし４，６，８，９号証に係る発明に相当し、該（訂正後の）各請求項に係る発明と甲第１ないし３号証に記載された発明との対比、判断は、上記２．（３）独立特許要件の判断で示した通りである。
（５）むすび
　以上のとおりであるから、本件請求項１ないし４，６，８，９に係る発明は、甲第１ないし３号証に記載された発明から当業者が容易に発明をすることができたものとすることができない。
　また、他に本件請求項１ないし４，６，８，９に係る特許を取り消すべき理由を発見しない。
　よって、結論のとおり決定する。
【異議決定日】
平成１１年４月１６日（１９９９．４．１６）
【訂正の要旨】
　訂正の要旨
ａ．特許請求の範囲の
１）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（２８，４４，６２）を備え、前記調整装置（２８，４４，６２）は、前記ひ道（６）又は織物エッジ（４３）から前記クランプ（１６）までの間隔（Ｘ１，Ｘ２）を調整することを特徴とするグリッパ形織機。
２）前記調整装置（２８）が、回動可能な帯状制御部材（３２）を備え、前記帯状制御部材（３２）は前記クランプ（１６）のストップカム（２６）と共働することを特徴とする特許請求の範囲第１）項に記載のグリッパ形織機。
３）前記調整装置（４４）が、ストップカーブ（４８）を有する帯状制御部材（４６）を備え、前記帯状制御部材（４６）は前記グリッパ（２）の走行方向にシフト可能であり、前記クランプ（１６）の前記ストップカム（２６）と共働することを特徴とする特許請求の範囲第１）項に記載のグリッパ形織機。
４）前記調整装置（２８）が偏心歯車又はカーブディスク歯車（３４）を備えていることを特徴とする特許請求の範囲第１）項ないし第３）項のうちのいずれか１項に記載のグリッパ形織機。
５）前記調整装置（２８）が電磁石又は電動機（４０）を備えていることを特徴とする特許請求の範囲第１）項ないし第４）項のうちのいずれか１項に記載のグリッパ形織機。
６）前記調整装置（４４）が流体圧モータ、有利には空気圧モータを備えている特許請求の範囲第１）項ないし第４）項のうちのいずれか１項に記載のグリッパ形織機。
７）前記調整装置が手動で作動可能であることを特徴とする特許請求の範囲第１）項ないし第４）項のうちのいずれか１項に記載のグリッパ形織機。
８）前記調整装置（６２）が、制御装置（７０）を備えている牽引機構（６６）により有利にはひ道形成装置と連結され、前記制御装置（７０）のプログラム指示により制御可能であることを特徴とする特許請求の範囲第１）項ないし第８）項のうちのいずれか１項に記載のグリッパ形織機。
９）前記グリッパ形織機が、マイクロプロセッサを備えている制御装置（４２，７０）を備え、前記調整装置（２８，４４，６２）は制御装置（４２，７０）と接続されていることを特徴とする特許請求の範囲第１）項ないし第７）項のうちのいずれか１項に記載のグリッパ形織機。
１０）前記グリッパ形織機が２つの横糸搬入装置を備え、２つの前記横糸搬入装置のうちの一方は持込みグリッパを備え、他方は受取りグリッパを備え、前記調整装置（２８，４４，６２）は受取りグリッパに設けられていることを特徴とする特許請求の範囲第１）項ないし第９）項のうちのいずれか１項に記載のグリッパ形織機。
の記載を、特許請求の範囲の減縮を目的として、
１）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（２８）を備え、前記調整装置（２８）は、前記ひ道（６）又は織物エッジ（４３）から前記クランプ（１６）までの間隔（Ｘ１，Ｘ２）を調整すべく、前記グリッパ（２）の走行方向に沿って延びる回動可能な帯状制御部材（３２）を備え、前記帯状制御部材（３２）は前記クランプ（１６）のストップカム（２６）と共働することを特徴とするグリッパ形織機。
２）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（４４）を備え、前記調整装置（４４）は、前記ひ道（６）又は織物エッジ（４３）から前記クランプ（１６）までの間隔（Ｘ１，Ｘ２）を調整すべく、前記グリッパ（２）の走行方向に沿って延び、かつストップカーブ（４８）を有する帯状制御部材（４６）を備え、前記帯状制御部材（４６）は前記グリッパ（２）の走行方向にシフト可能であり、前記クランプ（１６）の前記ストップカム（２６）と共働することを特徴とするグリッパ形織機。
３）前記調整装置（２８）が偏心歯車又はカーブディスク歯車（３４）を備えていることを特徴とする特許請求の範囲第１）項に記載のグリッパ形織機。
４）前記調整装置（２８）が電磁石又は電動機（４０）を備えていることを特徴とする特許請求の範囲第１）項または第３）項に記載のグリッパ形織機。
５）前記調整装置（４４）が流体圧モータ、有利には空気圧モータを備えている特許請求の範囲第２）項に記載のグリッパ形織機。
６）前記調整装置が手動で作動可能であることを特徴とする特許請求の範囲第１）項ないし第４）項のうちのいずれか１項に記載のグリッパ形織機。
７）取外し可能な横糸用クランプが設けられているグリッパを備えた横糸搬送装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（６２）を備え、前記調整装置（６２）は、　前記ひ道（６）又は織物エッジ（４３）から前記クランプ（１６）までの間隔（Ｘ１，Ｘ２）を調整すべく、制御装置（７０）を備えている牽引機構（６６）により有利にはひ道形成装置と連結され、前記制御装置（７０）のプログラム指示により制御可能であることを特徴とするグリッパ形織機。
８）前記グリッパ形織機が、マイクロプロセッサを備えている制御装置（４２，７０）を備え、前記調整装置（２８，４４，６２）は制御装置（４２，７０）と接続されていることを特徴とする特許請求の範囲第１）項ないし第７）項のうちのいずれか１項に記載のグリッパ形織機。
９）前記グリッパ形織機が２つの横糸搬入装置を備え、２つの前記横糸搬入装置のうちの一方は持込みグリッパを備え、他方は受取りグリッパを備え、前記調整装置（２８，４４，６２）は受取リグリッパに設けられていることを特徴とする特許請求の範囲第１）項ないし第８）項のうちのいずれか１項に記載のグリッパ形織機。
と訂正する。
ｂ．明細書の発明の詳細な説明の記載を特許請求の範囲の減縮に伴う明りょうでない記載の釈明を目的として、訂正明細書に記載の通りに訂正する。
（５４）【発明の名称】
グリッパ形織機
（５７）【特許請求の範囲】
　１）取外し可能な横糸用クランプが設けられているグリッパを備えた横糸搬入装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（２８）を備え、前記調整装置（２８）は、前記ひ道（６）又は織物エッジ（４３）から前記クランプ（１６）までの間隔（Ｘ１，Ｘ２）を調整
すべく、前記グリッパ（２）の走行方向に沿って延びる回動可能な帯状制御部材（３２）を備え、前記帯状制御部材（３２）は前記クランプ（１６）のストップカム（２６）と共働
　２）
取外し可能な横糸用クランプが設けられているグリッパを備えた横糸搬入装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（４４）を備え、前記調整装置（４４）は、前記ひ道（６）又は織物エッジ（４３）から前記クランプ（１６）までの間隔（Ｘ１，Ｘ２）を調整すべく、前記グリッパ（２）の走行方向に沿って延び、かつストップカーブ（４８）を有する帯状制御部材（４６）を備え、前記帯状制御部材（４６）は前記グリッパ（２）の走行方向にシフト可能であり、前記クランプ（１６）の前記ストップカム（２６）と共働することを特徴とする
　３）
前記調整装置（２８）が偏心歯車又はカーブディスク歯車（３４）を備えている
　４）
前記調整装置（２８）が電磁石又は電動機（４０）を備えていることを特徴とする特許請求の範囲第１）項または第３）項
　５）
前記調整装置（４４）が流体圧モータ、有利には空気圧モータを備えている特許請求の範囲第２）項
　６）
前記調整装置が手動で作動可能であることを特徴とする
　７）
取外し可能な横糸用クランプが設けられているグリッパを備えた横糸搬入装置を有するグリッパ形織機であって、前記横糸用クランプには開放部材が横糸引出し側にそしてひ道の外側に設けられているグリッパ形織機において、前記開放部材が、グリッパ形織機の作動中に作動可能な調整装置（６２）を備え、前記調整装置（６２）は、前記ひ道（６）又は織物エッジ（４３）から前記クランプ（１６）までの間隔（Ｘ１，Ｘ２）を調整すべく、制御装置（７０）を備えている牽引機構（６６）により有利にはひ道形成装置と連結され、前記制御装置（７０）のプログラム指示により制御可能であることを特徴とする
　８）
前記グリッパ形織機が、マイクロプロセッサを備えている制御装置（４２，７０）を備え、前記調整装置（２８，４４，６２）は制御装置（４２，７０）と接続されていることを特徴とする特許請求の範囲第１）項ないし第７）項
　９）
前記グリッパ形織機が２つの横糸搬入装置を備え、２つの前記横糸搬入装置のうちの一方は持込みグリッパを備え、他方は受取りグリッパを備え、前記調整装置（２８，４４，６２）は受取りグリッパに設けられていることを特徴とする特許請求の範囲第１）項ないし第８）項
【発明の詳細な説明】
　ａ．産業上の利用分野
　本発明は、特許請求の範囲第１）項等に記載の上位概念に記載のグリッパ形織機に関する。
　ｂ．従来の技術
　例えば西独特許出願公開第２３４４１２３号明細書等によりグリッパ形織機は多数公知であり、これらのグリッパ形織機においてはグリッパは、ひ道の中に挿入されそして取出されることが可能であるように形成されている。片側形グリッパを備えているグリッパ形織機と両側形グリッパを備えているグリッパ形織機は区別され、片側形グリッパはひ道全体を走行する。両側形グリッパにおいては織物の各側から１つのグリッパがひ道の中に持込まれ、次いでそれらのグリッパのうちの１つのグリッパが持込みグリッパとして１つの側から横糸を引込み、そしてこの横糸をひ道の中央で受取りグリッパに渡し、次いで受取りグリッパは横糸をひ道から完全に引出す。
　ｃ．発明が解決しようとする課題
　織機が超低速で作動する場合、グリッパは高速で作動する時に比べて横糸をより早く解放する。超低速の作動中、開放位置がひ道の近くにあると、グリッパはあまりにも早く横糸を放すので、横糸はひ道に引っ込み、その結果、織物は端部で欠陥を生じることになる。したがって、良い結果は、グリッパの開放位置がひ道から大きく離れているときにのみ得られる。
　しかし、織機が上記グリッパの開放位置において高速で作動する場合、該グリッパは非常に遠くで横糸を抜き取ることになるので、糸の消失量が多くてたくさん消費する結果、多量の糸が必要となるという不具合を生じる。
　本発明の課題は、横糸をひ道を通した後に横糸を自由にするために必要な、ひ道又は織物エッジからグリッパの開放位置までの間隔を、グリッパ形織機の作動中に調整可能であるようにこのようなグリッパ形織機を改善することにある。
　ｄ．課題を解決するための手段
　上記課題は本発明により、特許請求の範囲第１）項
、第２）項、第７）項
　グリッパ形織機の有利な実施例は特許請求の範囲第
３）項ないし第６）項、第８）項、第９）項
３）項ないし第６）項
　特許請求の範囲
第７）
第８）
　このような調整装置は、特許請求の範囲
第９）
　ｅ．実施例
　次に本発明を実施例に基づいて図を用いて説明する。
　第１図ないし第３図は、２つの横糸搬入装置、ひいては両側形グリッパを有するグリッパ形織機の受取りグリッパ２を示し、図中、受取りグリッパ２は、縦糸４により形成されているひ道６に横糸８を通し終えてこのひ道６を去った後の状態にある。受取りグリッパ２は搬入テープ１０に固定され、受取りグリッパ２の槍状部分１２には横糸８用の受取りスリット１４が設けられている。横糸がひ道から不所望にずれて外れるのを阻止するためにクランプ１６が設けられ、クランプ１６はボルト１８の回りを回動可能であり、受取りスリット１４と共働するクランプアーム２０を備えている。クランプ１６の、クランプアーム２０に対向していない側には別の１つのアーム２２が設けられ、アーム２２はばね２４によりクランプ・位置に予め位置している。クランプアーム２２はストップカム２６を形成し、ストップカム２６は開放部材、即ちクランプ１６を開くための調整装置２８と共働する。
　調整装置２８は、
グリッパ２走行方向に沿って延び、
　第２図に示されている帯状制御部材３２が受取りグリッパ２の走行方向に実質的に平行に位置すると、調整装置２８により開放位置、即ちひ道６又は織物エッジ４３からの短い間隔Ｘ１を有する位置を早期に実現することができる。これに対して、第３図に示されているように帯状制御部材３２が受取りグリッパ２の走行方向に対して斜めに位置すると、クランプ１６が、ひ道６又は織物エッジ４３から大きい間隔Ｘ２を有する開放、位置に遅い時期に到達する。
　第４図は調整装置４４の別の１つの実施例を示し、調整装置４４は
グリッパ２の走行方向に沿って延び、
　第５図は調整装置６２の別の１つの実施例を示し、調整装置６２は第２図及び第３図の実施例と類似に構成されているが、帯状制御部材３２はばね６４により受取りグリッパ２又はそのクランプ１６に対して弾性力を介して予め押圧されている。帯状制御部材３２には例えば紐・ベルト等の牽引機構６６が連結され、牽引機構６６は方向変換ロール６８を介してグリッパ形織機の制御装置７０に案内されている。制御装置７０は、例えばマイクロプロセッサにより制御される例えばジャカード装置等のひ道形成装置であり、ひ道形成装置のあや取りワイヤは牽引機構６６を連結されている。この場合にマイクロプロセッサはあや取りワイヤ、ひいては調整装置をグリッパ形織機の回転数に依存して制御することができる。
【図面の簡単な説明】
　第１図はひ道を去った時点における受取りグリッパの織機スタンドから見た側面図、第２図は早期の開放位置における第１図の受取りグリッパの側面図、第３図は遅い時点での開放位置における第１図の受取りグリッパの側面図、第４図は変形の調整装置を備えている受取りグリッパの側面図、第５図は別の変形の調整装置を備えている受取りグリッパの側面図。
２・・・受取りグリッパ、
４・・・縦糸、
６・・・ひ道、
８・・・横糸、
１０・・・搬入テープ、
１２・・・槍状部分、
１４・・・受取りスリット、
１６・・・クランプ、
１８・・・ボルト、
２０・・・クランプアーム、
２２・・・アーム、
２４・・・ばね、
２６・・・ストップカム、
２８・・・調整装置、
３０・・・ボルト、
３２・・・帯状制御部材、
３４・・・偏心歯車、
３６・・・ディスク、
３８・・・・偏心ピン、
４０・・・電動機、
４２・・・制御装置、．
４４・・・調整装置、
４６・・・帯状制御部材、
４８・・・ストップカ−ブ、
５０・・・走行方向、
５２・・・長孔、
５４・・・ボルト、
５６・・・ピストン／シリンダ装置、
５８・・・ピストン棒、
６０・・・アーム、
６２・・・調整装置、
６４・・・ばね、
６６・・・牽引機構、
６８・・・方向変換ロール、
７０・・・制御装置。